(57)【要約】【課題】      カバー片と基台片のみのシンプルな構造のケースにおいても、ユーザの意図に合わせて、カバー片と基台片との関係を固定することが可能であると共に基台片に対するカバー片の開閉も容易で、さらにユーザの意図に反して仮にスマートフォンのような電話機能付き携帯端末が基台から外れてしまったとしても電話機能付き携帯端末にキズがつくこともないように工夫された電話機能付き携帯端末用ケースを提供する【解決手段】  スマートフォン用ケースＡは、カバー片Ｂと基台片Ｃのみのシンプルな構造のケースであり、カバー片Ｂと基台片Ｃは革製で柔軟性がある。この柔軟性から、破線で示した位置ではカバー片Ｂを折り畳んだ状態では互いに接触する部分があり、そこには互いに異なる極性の磁性体Ｄ、Ｅがその表面が露出しない形で埋め込まれている。【選択図】  図１
0003205528.tif 000002
【実用新案登録請求の範囲】
【請求項１】
左右に連接された柔軟性があるカバー片と基台片とを備え、前記カバー片を折り畳んで前記基台片側に保持される電話機能付き携帯端末を覆って保護する電話機能付き携帯端末用ケースにおいて、
前記カバー片に連接された側を除く前記基台片の一部にその表面が露出しないように埋め込まれた基台片側磁性体と、
前記基台片側磁性体の極性と異なる極性を持つ磁性体であって、前記カバー片が折り畳まれた状態で前記基台片側磁性体が埋め込まれた位置に対応する位置であって前記カバー片の一部にその表面が露出しないように埋め込まれたカバー片側磁性体とを備えた、電話機能付き携帯端末用ケース。
【考案の詳細な説明】
【技術分野】
【０００１】
本考案は、電話機能付き携帯端末用ケースに関し、特に、スマートフォン用ケースに関する。
【背景技術】
【０００２】
現在、携帯電話の普及に加えて、スマートフォンの普及に伴い、そのような電話機能付き携帯端末についてのケースが、種々、提案されている。
【０００３】
例えば、特許文献１に記載のようなものがあり、図２はその従来のケースの一例を示した図である。図２にも示すように、境界部４を境にして左右に連接されたカバー片２と基台片３とを備え、カバー片２を折り畳んで基台片３に保持される携帯電話機Ｚを覆って保護する携帯電話機用ケース１であって、携帯電話機Ｚが保持される保持板７と、保持板７及び基台片３を着脱可能に固定する固定手段８とを備えたものが提案されている。固定手段８としては、基台片側に設けられる基台片側固定部８１と、保持板側に設けられる保持板側固定部８２とを有することとし、基台片側固定部８１及び保持板側固定部８２が共に、磁石体であることを特徴にしたものとしている。なお、この文献では、カバー片２を折り畳んだ状態を維持するためのベルト片６が基台片３に繋げられたものが示されている。そして、ベルト片６の端部に磁石体のベルト固定部６１が設けられ、カバー片２を折り畳んだ状態での対応する位置には磁石体の係合部６２が設けられている。
【０００４】
また、特許文献１にも記載されているが、上記のような保持板ではなく基台片に繋がった保持片を用いるものもある。保持片や保持板が用いられるケースでは、保持を確実にするためにも、ベルト片６が備えられたものが一般的とされている。
【０００５】
なお、携帯電話機Ｚの取り付けについては、携帯電話機Ｚの裏面側に粘着シート７１の一方面を貼付け、保持片や保持板がある場合には粘着シート７１の他方面を保持片や保持板に取り付ける形となっており、保持片や保持板がなくカバー片と基台片のみの場合には粘着シートの他方面を基台片に取り付ける形になっている。
【先行技術文献】
【特許文献】
【０００６】
【特許文献１】実用新案登録第３２００９２３号公報
【考案の概要】
【考案が解決しようとする課題】
【０００７】
しかしながら、保持板や保持片がないタイプのケースではその分だけ厚みを考慮する必要がないためベルト片は不要になる一方、カバー片と基台片との間の関係は固定されない結果、カバー片がカバーとしての機能を十分に発揮できないことがあり得た。すなわち、カバー片がユーザの意図に反して開いた状態になったままで、ケースを落としてしまう、或いは、ケースに物が当たる等があれば、端末の画面部分に傷がつくなどの問題も起こり得た。
【０００８】
そこで、本考案は、ベルト片がなくカバー片と基台片のみのシンプルな構造のケースにおいても、ユーザの意図に合わせて、カバー片と基台片との関係を固定することが可能であると共に基台片に対するカバー片の開閉も容易で、さらにユーザの意図に反して仮にスマートフォンのような電話機能付き携帯端末が基台から外れてしまったとしても電話機能付き携帯端末にキズがつくこともないように工夫された電話機能付き携帯端末用ケースを提供することを目的とする。
【課題を解決するための手段】
【０００９】
本考案の観点は、左右に連接された柔軟性があるカバー片と基台片とを備え、前記カバー片を折り畳んで前記基台片側に保持される電話機能付き携帯端末を覆って保護する電話機能付き携帯端末用ケースにおいて、前記カバー片に連接された側を除く前記基台片の一部にその表面が露出しないように埋め込まれた基台片側磁性体と、前記基台片側磁性体の極性と異なる極性を持つ磁性体であって、前記カバー片が折り畳まれた状態で前記基台片側磁性体が埋め込まれた位置に対応する位置であって前記カバー片の一部にその表面が露出しないように埋め込まれたカバー片側磁性体とを備えたものである。柔軟性があるカバー片の材質の一例としては、例えば革製が挙げられる。基台片も柔軟性がある材質のものとしてもよく、材質の一例としては、例えば革製が挙げられる。
【考案の効果】
【００１０】
本考案の観点によると、柔軟性があるカバー片が用いられた結果、互いに接触できる部分ができる。そして、その接触部分が生じることを生かし、磁性体を用いたことにより、ベルト片がなくカバー片と基台片のみのシンプルな構造のケースにおいても、ユーザの意図に合わせて、カバー片と基台片との関係を固定することが可能であると共に基台片に対するカバー片の開閉も容易となる。さらに、磁性体の表面は露出しておらず埋め込まれていることから、ユーザの意図に反して仮にスマートフォンのような電話機能付き携帯端末が基台片から外れてしまったとしても、電話機能付き携帯端末にキズがつくこともないという利点がある。
【図面の簡単な説明】
【００１１】
【図１】本考案の実施の形態にかかる電話機能付き携帯端末用ケースであってスマートフォン用ケースという試作品の一例を示した図である。
【図２】従来のケースの一例を示した図である。
【考案を実施するための形態】
【００１２】
以下、図面を参照して、本考案の実施例について述べる。なお、本考案の実施の形態は、以下の実施例に限定されるものではない。
【実施例】
【００１３】
図１は、本考案の実施の形態にかかる電話機能付き携帯端末用ケースであってスマートフォン用ケースという試作品の一例を示した図である。本考案の実施の形態にかかる製品の一例を示した図である。
【００１４】
図１を参照して、このスマートフォン用ケースＡは、ベルト片がなく、カバー片Ｂと基台片Ｃのみのシンプルな構造のケースとなっている。カバー片Ｂと基台片Ｃは、両者ともに、柔軟性がある革製としている。基台片Ｃは、保持のためにカバー片Ｂよりも固い状態になっている。このような柔軟性があることから、カバー片Ｂを折り畳んだ状態では、互いに接触する部分が発生している。破線で示した部分はカバー片Ｂを折り畳んだ状態では互いに接触する部分であり、その部分には互いに異なる極性の磁性体Ｄ、Ｅがその表面が露出しない形で埋め込まれている。これらの磁性体Ｄ、Ｅの関係はカバー片Ｂを折り畳んだ状態では互いに対応して向き合う関係にあり、両磁性体Ｄ、Ｅが異なる極性を持つことから引き寄せ合う力が生じることになっている。
【００１５】
以上のような構造にすることにより、ベルト片がなくカバー片Ｂと基台片Ｃのみのシンプルな構造のケースにおいても、ユーザの意図に合わせて、カバー片Ｂと基台片Ｃとの関係を固定することが可能であると共に基台片Ｃに対するカバー片Ｂの開閉も容易となる。さらに、磁性体Ｄ、Ｅの表面は露出しておらず埋め込まれていることから、ユーザの意図に反して仮にスマートフォンが基台片Ｃから外れてしまったとしても、スマートフォンにキズがつくこともないように工夫されている。
【００１６】
なお、図１に示した試作品では、カメラのレンズに対応する孔をケースには設けていないが、最終製品にはそのような工夫をしてよい。また、スマホの取付構造などの他の工夫をしてもよい。
【符号の説明】
【００１７】
Ａ・・・スマートフォン用ケース、Ｂ・・・カバー片、Ｃ・・・基台片、Ｄ、Ｅ・・・磁性体
【図１】
0003205528.tif 000003
【図２】
0003205528.tif 000004